(57)【特許請求の範囲】
【請求項１】
缶、ビン等を収納する第一収納室と、前記第一収納室とは独立して前方に引出し可能で駆動機構を備えた搬出装置により商品を搬出する第二収納室とを有し、前記第一収納室と前記第二収納室とを同一の箱体内に併設し、前記箱体前面開口部を覆う外扉をヒンジ機構により開閉可能な自動販売機であって、前記第二収納室を前記外扉の反ヒンジ側の端部に配置したことを特徴とする自動販売機。
【請求項２】
前記外扉の内方にヒンジ機構により開閉可能な内扉を備え、前記内扉は前記第一収納室の前面に対向して配置し、前記第二収納室とは干渉しないことを特徴とする請求項１に記載の自動販売機。
【請求項３】
前記第二収納室の搬出装置は、駆動装置と前後方向に配置したスパイラル機構とを有し、前記スパイラルの回動により前方から商品を落下搬出することを特徴とする請求項１または２に記載の自動販売機。
【請求項４】
前記第一収納室からの商品搬出通路と前記第二収納室からの商品搬出通路とは独立して形成し、商品取出口を共通としたことを特徴とする請求項１から３のいずれか一項に記載の自動販売機。
【請求項５】
前記第二収納室の前部に商品搬出通路を一体に形成したことを特徴とする請求項１から４のいずれか一項に記載の自動販売機。
【発明の詳細な説明】
【技術分野】
【０００１】
本発明は、１台の自動販売機で多種類の商品を複合販売できるよう構成された自動販売機に関するものである。
【背景技術】
【０００２】
従来より、冷蔵商品と常温保存商品を１台の自動販売機で複合販売できるよう構成された自動販売機が提案されている。上記従来の複合自動販売機は、内部が仕切板によって区切られており、一方に冷蔵商品用商品収納部、他方に常温保存商品用商品収納部が配置されている。（例えば、特許文献１参照）
以下、図面を参照しながら、上記従来の自動販売機について説明する。
【０００３】
図１５は、従来の複合自動販売機の構成概要斜視図である。図１５に示すように、自動販売機１の内部には断熱仕切壁２を設け、一方に冷蔵商品用商品収納部３、他方に常温保存商品用商品収納部４が配置されている。そして、冷蔵商品用商品収納部３の下方には冷蔵装置５を有している。そして、自動販売機１の前面開口部には外扉６をヒンジ機構７で開閉自在に軸支されている。また、外扉６の外面には、硬貨投入口８、紙幣投入口９、下方には商品取出口１０、および商品選択釦（図示せず）を備えている。また、外扉６の内面の断熱仕切壁２に対向する部分にシール部材１１を有している。
【０００４】
上記構成において、利用者は自動販売機１の外扉６外面に設けた硬貨投入口８、あるいは紙幣投入口９に所定の金額を投入し、商品選択釦で好みの冷蔵商品あるいは常温保存商品を選択することで、１台の自動販売機で冷蔵保存商品、常温保存商品を購入することができる。これにより、自動販売機設置業者の売上増加と利用者の利便性を向上することができるものである。
【先行技術文献】
【特許文献】
【０００５】
【特許文献１】登録実用新案第３０４５２９１号公報
【発明の概要】
【発明が解決しようとする課題】
【０００６】
しかしながら、上記従来の自動販売機では、常温保存商品用商品収納部４と冷蔵商品用商品収納部３の具体的構成については開示されていない。一方で最近の商品の多様化に伴い、箱入食品等の矩形状で比較的軽い常温保存商品を含めた商品と、缶、ビン等の冷却・加温商品とを１つの機器内で販売できる複合自動販売機が求められている。この場合、商品充填時の充填性やメンテナンス性を高め、消費電力量を抑えることが要求される。
【０００７】
本発明は上記従来の課題を解決するものであり、箱入食品等の矩形状で比較的軽い常温保存商品を含めた商品を、缶、ビン等の冷却・加温商品と同一箱体内で販売する自動販売機の商品充填性、メンテナンス性、安全性を高めるとともに、庫内の熱影響を受けにくい複合商品を販売可能な自動販売機を提供することを目的とする。
【課題を解決するための手段】
【０００８】
上記従来の課題を解決するために、本発明の自動販売機は、缶、ビン等を収納する第一収納室と、前記第一収納室とは独立して前方に引出し可能で駆動機構を備えた搬出装置により商品を搬出する第二収納室とを有し、前記第一収納室と前記第二収納室とを同一の箱体内に併設し、前記箱体前面開口部を覆う外扉をヒンジ機構により開閉可能な自動販売機
であって、前記第二収納室を前記外扉の反ヒンジ側の端部に配置したものである。
【０００９】
これによって、外扉の開放角度が小さい場合においても、駆動機構を備えた搬出装置により商品を搬出する第二収納室の前方への引出が可能となり、引出し操作性が向上し商品の充填作業性がよく、メンテナンスが容易となる。
【発明の効果】
【００１０】
本発明の自動販売機は、缶、ビン等を収納する第一収納室と、前記第一収納室とは独立して前方に引出し可能で駆動機構を備えた搬出装置により商品を搬出する第二収納室とを有し、前記第一収納室と前記第二収納室とを同一の箱体内に併設し、前記箱体前面開口部を覆う外扉をヒンジ機構により開閉可能な自動販売機において、第二収納室を前記外扉の反ヒンジ側の端部に配置したことで、第一収納室が熱影響を受けにくく、第二収納室の引出し操作性、商品の充填作業性、メンテナンス性を向上した、複合商品を販売可能な自動販売機を提供することができる。
【図面の簡単な説明】
【００１１】
【図１】本発明の実施の形態１における自動販売機の正面図
【図２】同実施の形態の自動販売機の扉を開放し第二収納室を引き出した状態の斜視図
【図３】（ａ）同実施の形態の自動販売機の水平断面概略図、（ｂ）同実施の形態の自動販売機の第二収納室を引き出した状態の水平断面概略図
【図４】同実施の形態の自動販売機の第二収納室の斜視図
【図５】同実施の形態の自動販売機の第二収納室の取手部の斜視図
【図６】同実施の形態の自動販売機の第二収納室の側面図
【図７】（ａ）同実施の形態の自動販売機の第二収納室を収納した時の上面図、（ｂ）同実施の形態の自動販売機の第二収納室を引き出した時の上面図
【図８】同実施の形態の自動販売機の第二収納室の下部ストッパの要部側面図
【図９】同実施の形態の自動販売機の第二収納室を収納した時の縦断面図
【図１０】同実施の形態の自動販売機の第二収納室の収納装置の上面図
【図１１】同実施の形態の自動販売機の第二収納室の搬出通路と収納装置の側面概略図
【図１２】同実施の形態の自動販売機の第二収納室の搬出通路と収納装置と搬出通路カバーの上方より見た概略図
【図１３】同実施の形態の自動販売機の第二収納室の収納装置の概略斜視図
【図１４】同実施の形態の自動販売機の第二収納室の収納装置の姿勢制御板の斜視図
【図１５】従来の複合自動販売機の構成概要斜視図
【発明を実施するための形態】
【００１２】
請求項１に記載の発明は、缶、ビン等を収納する第一収納室と、前記第一収納室とは独立して前方に引出し可能で駆動機構を備えた搬出装置により商品を搬出する第二収納室とを有し、前記第一収納室と前記第二収納室とを同一の箱体内に併設し、前記箱体前面開口部を覆う外扉をヒンジ機構により開閉可能な自動販売機であって、前記第二収納室を前記外扉の反ヒンジ側の端部に配置したものであり、外扉の開放角度が小さい場合においても、駆動機構を備えた搬出装置により商品を搬出する第二収納室の前方への引出が可能となり、引出し操作性が向上し商品の充填作業性がよく、メンテナンスが容易となる、複合商品を販売可能な自動販売機を提供することができる。
【００１３】
請求項２に記載の発明は、請求項１に記載の発明において、前記外扉の内方にヒンジ機構により開閉可能な内扉を備え、前記内扉は前記第一収納室の前面に対向して配置し、前記第二収納室とは干渉しないものであり、第二収納室を引き出す際に、外扉のみを開放し
内扉を開放する必要がなく、商品充填やメンテナンスを容易に行うことができる。
【００１４】
請求項３に記載の発明は、請求項１または２に記載の発明において、前記第二収納室の搬出装置は、駆動装置と前後方向に配置したスパイラル機構とを有し、前記スパイラルの回動により前方から商品を落下搬出するものであり、第二収納室からの商品搬出を簡素な構造で確実に行うことができる。
【００１５】
請求項４に記載の発明は、請求項１から３のいずれか一項に記載の発明において、前記第一収納室からの商品搬出通路と前記第二収納室からの商品搬出通路とは独立して形成し、商品取出口を共通としたものであり、同一の箱体内に、缶、ビン等を収納する第一収納室と、前記第一収納室とは独立して前方に引出し可能で駆動機構を備えた搬出装置により商品を搬出する第二収納室とを備えた自動販売機の搬出確実性とスペースの有効活用を図ることができる。
【００１６】
請求項５に記載の発明は、請求項１から４のいずれか一項に記載の発明において、前記第二収納室の前部に商品搬出通路を一体に形成したものであり、第二収納室の商品搬出通路の寸法精度の向上による搬出確実性の向上、一体化による構造簡素化、組立性の向上を図ることができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における自動販売機の正面図、図２は同実施の形態の自動販売機の扉を開放し第二収納室を引き出した状態の斜視図、図３（ａ）は同実施の形態の自動販売機の水平断面概略図、図３（ｂ）は同実施の形態の自動販売機の第二収納室を引き出した状態の水平断面概略図、図４は同実施の形態の自動販売機の第二収納室の斜視図、図５は同実施の形態の自動販売機の第二収納室の取手部の斜視図、図６は同実施の形態の自動販売機の第二収納室の側面図、図７（ａ）は同実施の形態の自動販売機の第二収納室を収納した時の上面図、図７（ｂ）は同実施の形態の自動販売機の第二収納室を引き出した時の上面図、図８は同実施の形態の自動販売機の第二収納室の下部ストッパの要部側面図である。
【００１９】
図１から図３において、自動販売機本体５０の前面を覆う外扉５１はヒンジ機構５２を介して回動自在に軸支されており、外扉５１の上部には、商品サンプル展示室５３を有し、内部に缶、ビン等の商品サンプル５４を備え、商品サンプル５４に対応してそれぞれ選択ボタン５５を設けている。また、缶、ビン等とは異なる箱状あるいは袋状の商品サンプル５６、その選択ボタン５７も同一商品サンプル展示室５３内に備えている。
【００２０】
また、商品サンプル展示室５３の下方には、商品の広告などを掲示する広告パネル室５８と貨幣を投入する金銭投入口５９および携帯端末などの非接触端末の電子マネーによる決済が可能な読書き手段６０を備えている。また、金銭投入口５９や読書き手段６０の下部には、利用者が選択した商品をしゃがみ姿勢で取り出す商品取出口６１が備えられている。
【００２１】
また、自動販売機本体５０の内部には、缶、ビン等の商品を収納する第一収納室６２と、第一収納室６２とは独立して、缶、ビン等とは異なる箱状あるいは袋状の商品を収納する第二収納室６３とを備えている。具体的には、第一収納室６２は仕切板６５により複数の収納部を有し、図示しない両側板間に湾曲状のサーペンタインコラムを組み合わせて構成したもので、上方の商品投入口から商品を横倒しにして収納し、下方の商品搬出装置の
動作により商品を１本づつ搬出する。
【００２２】
また、第二収納室６３は、第一収納室６２と併設して、外扉５１のヒンジ機構５２の反ヒンジ側の端部に位置し、前方に引出し可能に構成している。そして、第二収納室６３の内部には、箱状あるいは袋状の商品を収納するための前後方向に配置した回転搬出部材としてのスパイラル機構と、それを回動する駆動装置としてのモータを備え、モータによるスパイラル機構の回動により前方から商品を落下搬出するものである。
【００２３】
また、第二収納室６３を収納する収納部の外部と仕切る壁面には真空断熱材６６を配置している。
【００２４】
また、外扉５１の内方にヒンジ機構５２ａにより開閉可能な内扉６４を備え、内扉６４は第一収納室６２の前面にのみ対向して配置している。すなわち、内扉６４は第二収納室６３の前面とは干渉しないように構成している。
【００２５】
また、第一収納室６２の下方の商品搬出装置の動作により商品の搬出を行う商品搬出通路と、第二収納室６３のスパイラル機構の回動により前方から商品を落下搬出する商品搬出通路８２とは独立して形成しており、それぞれの商品搬出通路を経由した後の商品取出口６１は共通とした構造となっている。
【００２６】
また、第二収納室６３のスパイラル機構の回動により前方から商品を落下搬出する商品搬出通路８２は、引き出し構造の第二収納室６３の前方に一体に構成している。
【００２７】
また、図４から図８において、第二収納室６３は、前支柱７１と後支柱７２と底板７３と上枠７４により連結された構造となっており、前支柱７１と後支柱７２には商品８１が収納された上下に複数個の収納装置８０が着脱自在に固定されている。収納装置８０の前方の商品の搬出通路８２は断面略コ字状の搬出通路カバー７９により覆われている。上枠７４の内側の左右側面には伸縮自在なレール７８の可動部が固定されており、ストッパ固定板７５の外側の左右側面には伸縮自在なレール７８の固定部が固定されている。また、底板７３の外壁側には第二収納室６３の側面を支持する支持部材を備え、上枠７４の左右２箇所のレール機構と側面の前記支持部材との３点で第二収納室６３を支持している。
【００２８】
また、上枠７４の前面には、上方が狭く下方が広いだるま状の異形穴７４ａを設けており、この異形穴７４ａに止め具７７が設置されている。止め具７７はストッパ７６に連動しており、止め具７７を上下方向に移動すると連動してストッパ７６はストッパ固定板７５内の切欠部を上下方向に移動する。上枠７４の異形穴７４ａは上方が狭い穴のため、第二収納室６３を閉じた状態で止め具７７を上方向に移動すると、ストッパ７６により上枠７４はストッパ固定板７５に固定される。そして、止め具７７を下方向に移動すると、上枠７４の異形穴７４ａの下部が止め具７７の直径より広い穴としているため、ストッパ７６が下方向に移動し、上枠７４のストッパ固定板７５への係止が解除された状態となる。したがって止め具７７を下方向に移動した状態で、取手７０を手前に引くと、第二収納室６３は前方に引き出し可能となる。
【００２９】
また、ストッパ７６がストッパ固定板７５内の切欠部で下方に移動していることで、第二収納室６３の上枠７４の後側面８２に係合するまで引出すことができる。すなわち、ストッパ７６は第二収納室６３の前方引出しを規制するストッパ機能（本体への係止機能）と、第二収納室６３の前方引出し時の最大開放状態を規制するストッパ機能（引出し時の係止機能）とを兼用している。
【００３０】
また、第二収納室６３の前方には取手７０を有し、取手７０は板材をＬ字状に折り曲げ
て形成し、取手部４０と側面部４１と突出部４２と、突出部４２の傾斜部４４の前方に設けた凹部４３を備え、また、側面部４１の上部には取手部４０を回動可能にした軸部４５と回動範囲を規制する長穴部４６を備えている。そして、本体側に設けた突起（図示せず）が凹部４３に係合することで、第二収納室６３の前方の移動を規制している。
【００３１】
そして、第二収納室６３を前方に引き出す場合、上枠７４の止め具７７を下方向に移動した状態で、取手部４０の下部を手前に引くことで軸部４５を中心に取手７０が回動し凹部４３と本体側に設けた突起との係合が解除され、その状態で取手部４０を手前に引き続けることで第二収納室６３を前方に引き出すことができる。
【００３２】
また、下部ストッパ８４は、第二収納室６３の下部での前方引出しを規制するもので、自動販売機本体５０内に下部ストッパヒンジ８８にて軸支されており、通常は下部ストッパ８４の自重により下当たり部８６の位置で停止している。また、下部ストッパ８４は下部ストッパヒンジ８８を中心に上当たり部８５と下当たり部８６の間で回動自在に形成されている。そして、下部ストッパ８４が自重により下当たり部８６の位置で停止している状態で下部ストッパ８４の先端部８９が後支柱７２に設けた当接部８７に当接することで第二収納室６３の下部での前方引出しを規制する。なお、第二収納室６３を自動販売機本体５０から脱着する場合は、下部ストッパ８４を上当たり部８５まで手動で上げて下部ストッパ８４の先端部８９を当接部８７から解除することで可能となる。
【００３３】
また、ストッパ固定板７５の外側左右側面に設けた伸縮自在なレール７８の固定部は、図示しない自動販売機本体５０の上部内面に配置された上部左右２箇所のガイドと嵌合する構造としている。そして、第二収納室６３を自動販売機本体５０から脱着する際には、第二収納室６３を閉じた状態で止め具７７を上方向に移動し、ストッパ７６で上枠７４をストッパ固定板７５に固定した状態で、前方に引き出すことで、第二収納室６３を自動販売機本体５０から脱着することができる。
【００３４】
また、図９は同実施の形態の自動販売機の第二収納室を収納した時の縦断面図、図１０は同実施の形態の自動販売機の第二収納室の収納装置の上面図、図１１は同実施の形態の自動販売機の第二収納室の搬出通路と収納装置の側面概略図、図１２は同実施の形態の自動販売機の第二収納室の搬出通路と収納装置と搬出通路カバーの上方より見た概略図、図１３は同実施の形態の自動販売機の第二収納室の収納装置の概略斜視図、図１４は同実施の形態の自動販売機の第二収納室の収納装置の姿勢制御板の斜視図である。
【００３５】
図９から図１４において、収納装置８０内には水平方向に回転搬出部材としてのスパイラル部材９５とスパイラル部材９５を回転駆動させるモータ９６とを備え、スパイラル部材９５の螺旋空間９７には箱状あるいは袋状の商品８１を載置しており、モータ９６の駆動によりスパイラル部材９５を回転させ前方から落下搬出する搬出装置６７を備え、搬出装置６７の前方には商品８１を落下搬出する搬出通路８２と搬出通路カバー７９とを備えている。また、搬出通路８２の下方に連通して着脱可能な下シュート１０６を備え、下シュート１０６はさらに横方向に配置した商品取出口６１に連通している。
【００３６】
また、上下に複数段配置した収納装置８０の前部には商品８１の落下姿勢を規制するための姿勢制御板１１０を備え、姿勢制御板１１０は上部を支点として収納装置８０の前方下部に懸架して揺動可能に設けている。そして、それぞれの姿勢制御板１１０は、その下方の収納装置８０の商品の落下姿勢を規制するように構成している。
【００３７】
具体的には、姿勢制御板１１０は側面から見て略くの字形状に成形されており、上面部１１４の端面左右両側に曲げ部１１３を有した係止爪１１２を備え、係止爪１１２を収納装置８０の前方下部の切欠部１１１に懸架して、曲げ部１１３を支点として揺動可能とし
ている。
【００３８】
また、姿勢制御板１１０の下端は回転搬出部材としてのスパイラル部材９５の上端と水平方向でラップさせた位置になるように設定している。
【００３９】
また、搬出装置６７の前方に設けた商品８１を搬出するための搬出通路８２の奥行寸法は商品８１の外形最長寸法より小さく設定している。すなわち、商品８１の搬出落下時の姿勢を規制することで搬出通路８２内での商品８１の引掛かりを防止するとともに、奥行きのスペースを有効活用することができる。
【００４０】
また、収納装置８０の下方に区画された空間には、収納装置８０内の空気を循環させるファン１００と加熱装置としてのヒータ１０２と冷却装置１０３と温度センサ１０４とを配置し、前記冷却、加温装置を収納した空間に連通するダクト１０１を収納装置８０の背面に配置している。そしてダクト１０１の吸込口１０５を収納装置８０の最上段近傍に配置している。これにより、ファン１００の運転で収納装置８０内の空気はダクト１０１の吸込口１０５から吸い込まれ、前記冷却、加温装置で熱交換され前方の搬出通路８２を循環風路の吐出側として空気が循環する。
【００４１】
また、収納装置８０の両側部には上下方向の通風孔９８を前後に複数形成している。
【００４２】
また、缶、ビン等を収納する第一収納室６２内の空気を循環させる循環風路と、箱状あるいは袋状の商品８１を収納する第二収納室６３内の空気を循環させる循環風路とはそれぞれ独立して形成している。
【００４３】
また、第二収納室６３を収納する収納部の外部と仕切る壁面には真空断熱材６６を配置している。
【００４４】
以上のように構成された自動販売機について、以下その動作、作用を説明する。
【００４５】
缶、ビン等とは異なる箱状あるいは袋状の商品を収納する第二収納室６３を商品補充等で前方に引き出す場合、外扉５１を開放し、上枠７４の前面異形穴７４ａ上方に係止された止め具７７を緩めて下方に移動することでストッパ７６が下方向に移動し、上枠７４のストッパ固定板７５への係止が解除された状態となる。そして、取手７０の取手部４０の下部を手前に引くことで軸部４５を中心に取手７０が回動し凹部４３と本体側に設けた突起との係合が解除され、その状態で取手部４０を手前に引き続けることで第二収納室６３を前方に引き出すことができる。
【００４６】
この場合、第二収納室６３は、第一収納室６２と併設して、外扉５１のヒンジ機構５２の反ヒンジ側の端部に位置しているので、外扉５１の開角度が小さい場合でも第二収納室６３を前方に引き出し可能となり、商品充填性や、メンテナンス性を高めることができる。
【００４７】
また、外扉５１の内方にヒンジ機構５２ａにより開閉可能な内扉６４は第一収納室６２の前面にのみ対向して配置し、第二収納室６３の前面とは干渉しないように構成しているので、第二収納室６３を引き出す際に、外扉５１のみを開放し内扉６４を開放する必要がなく、商品充填やメンテナンスを容易に行うことができる。
【００４８】
また、第二収納室６３の内部には、箱状あるいは袋状の商品を収納するための前後方向に配置した回転搬出部材としてのスパイラル機構と、それを回動する駆動装置としてのモータを備え、モータによるスパイラル機構の回動により前方から商品を落下搬出するもの
であり、第二収納室６３からの商品搬出を簡素な構造で確実に行うことができる。
【００４９】
また、第一収納室６２の下方の商品搬出装置の動作により商品の搬出を行う商品搬出通路と、第二収納室６３のスパイラル機構の回動により前方から商品を落下搬出する商品搬出通路とは独立して形成しており、それぞれの商品搬出通路を経由した後の商品取出口６１は共通とした構造となっているので、同一の箱体内に、缶、ビン等を収納する第一収納室６２と、第一収納室６２とは独立して前方に引出し可能で駆動機構を備えた搬出装置により商品を搬出する第二収納室６３とを備えた自動販売機の搬出確実性とスペースの有効活用を図ることができる。
【００５０】
また、第二収納室６３のスパイラル機構の回動により前方から商品を落下搬出する商品搬出通路８２は、引き出し構造の第二収納室６３の前方に一体に構成しているので、第二収納室の商品搬出通路の寸法精度の向上による搬出確実性の向上、一体化による構造簡素化、組立性の向上を図ることができる。
【００５１】
また、本実施の形態における第二収納室６３は、前支柱７１と後支柱７２と底板７３と上枠７４により連結された構造で、伸縮自在なレール７８を備え、第二収納室６３の前方への引き出し規制を上枠７４の止め具７７と連動したストッパ７６で行うものであり、第二収納室６３の商品補充等で前方に引き出す場合の安全性と、第二収納室６３を自動販売機本体５０からメンテナンス等で外すときの操作性を高めることができる。
【００５２】
また、上枠７４の前面には、上方が狭く下方が広いだるま状の異形穴７４ａを設け、この異形穴７４ａに設けた止め具７７を上下方向に移動することで連動したストッパ７６がストッパ固定板７５内の切欠部を上下方向に移動し上枠７４のストッパ固定板７５への係脱を可能としているので、第二収納室６３の上部に配置した上枠７４でのストッパ７６の係脱を容易に行うことができ、操作性が向上する。
【００５３】
また、第二収納室６３は、上枠７４の左右２箇所のレール機構と底板７３の外壁側の支持部材との３点で第二収納室６３を支持しているので、第二収納室６３の前方引出し時の操作性と支持構造の簡素化を図ることができる。
【００５４】
また、第二収納室６３の下部ストッパ８４が自重により下当たり部８６の位置で停止している状態で下部ストッパ８４の先端部８９が後支柱７２に設けた当接部８７に当接することで第二収納室６３の下部での前方引出しを規制しているので、さらに、第二収納室６３の商品補充等で前方に引き出す場合の安全性を高めることができる。
【００５５】
また、第二収納室６３の前部に可動機構を備えた取手７０を有し、取手７０は本体との着脱機構と前方への引き出し取手機能を兼用化したものであり、さらに、第二収納室６３の商品補充等で前方に引き出す場合の安全性と操作性を高めることができる。
【００５６】
また、ストッパ固定板７５の外側左右側面に設けた伸縮自在なレール７８の固定部は、図示しない自動販売機本体５０の上部内面に配置された上部左右２箇所のガイドと嵌合する構造とし、第二収納室６３を自動販売機本体５０から脱着する際には、第二収納室６３を閉じた状態で止め具７７を上方向に移動し、ストッパ７６で上枠７４をストッパ固定板７５に固定した状態で、前方に引き出すことで、レール７８を固定して第二収納室６３を自動販売機本体５０から脱着することができるので、第二収納室６３を自動販売機本体５０から脱着する際の取り外し操作性および本体への取り付け操作性を高めることができる。
【００５７】
その際、下部ストッパ８４を上当たり部８５まで手動で上げて下部ストッパ８４の先端
部８９を当接部８７から解除することで可能となり、容易に取り外すことができる。また、本体への取り付けの際には、押し込むのみで下部ストッパ８４を機能させることができる。
【００５８】
また、本実施の形態における第二収納室６３の収納装置８０内には水平方向に回転搬出部材としてのスパイラル部材９５とスパイラル部材９５を回転駆動させるモータ９６とを備え、スパイラル部材９５の螺旋空間９７には箱状あるいは袋状の商品８１を載置し、モータ９６の駆動によりスパイラル部材９５を回転させ前方から落下搬出する搬出装置６７を備えている。そして、搬出装置６７の前方には商品８１を落下搬出する搬出通路８２と搬出通路カバー７９とを設け、上下に複数段配置した収納装置８０の前部には商品８１の落下姿勢を規制するための姿勢制御板１１０を備えており、販売信号を受けてモータ９６の動作によりスパイラル部材９５が回転するとスパイラル部材９５の１ピッチ分前方に商品８１が送出され、収納装置８０の前方へ商品８１が押し出される。最前列にある商品８１の前面上方には、上段の収納装置８０の前方に懸架された姿勢制御板１１０に当接し上部を支点として回動しながら姿勢制御板１１０を前方へ押す。具体的には、姿勢制御板１１０は係止爪１１２の曲げ部１１３を支点として、略くの字形状の姿勢制御板１１０の上面部１１４が収納装置８０の底面に接するまで回動する。商品８１は収納装置８０の前端から外れると、最前列の商品８１は搬出通路８２を下方へ落下する。その後、商品８１は搬出通路８２の下方にある下シュート１０６を通過し、商品取出口６１に搬出される。
【００５９】
商品８１が充填されていた収納装置８０から落下すると、姿勢制御板１１０は自身の自重により係止爪１１２が収納装置の底面に接するまで、押し出される場合と逆方向に回動して収納装置２の取付状態の位置で停止する。
【００６０】
以上のように本実施の形態では、収納装置８０の前部に商品８１の落下姿勢を規制する姿勢制御板１１０を設けているので、商品８１が収納装置８０の前端から外れる際に、姿勢制御板１１０と当接しているので、搬出通路８２にて商品８１は姿勢制御板１１０より前方に倒れることなく、収納装置８０に充填された垂直に近い状態を保ちながら搬出通路８２を下方に落下するため、搬出通路８２の奥行き寸法を商品８１の対角寸法より小さい幅にすることができる。これにより、機器の小型化、あるいはスペースの有効活用ができるとともに、搬出通路内での商品のひっかかりによる搬出不良も少なくすることができる。
【００６１】
また、姿勢制御板１１０の下端は回転搬出部材としてのスパイラル部材９５の上端と水平方向でラップさせた位置になるように設定しているので、上段の収納装置８０から送出された商品８１は、搬出通路８２を落下する際に下段の収納装置８０内に落下したり、下段のスパイラル部材９５に乗り上げ、商品取出口６１に搬出されないという搬出不良をおこしにくい。
【００６２】
また、姿勢制御板１１０は収納装置８０の前方下部に懸架して、それぞれ下方の収納装置８０の商品の落下姿勢を規制しているので、姿勢制御板１１０の支持構造の簡素化を図ることができ、収納商品の形状の自由度を高めることができる。
【００６３】
また、搬出通路の奥行寸法は前記商品の外形最長寸法より小さく設定しているので、より確実に機器の小型化、あるいはスペースの有効活用ができるとともに、搬出通路内での商品のひっかかりによる搬出不良も少なくすることができる。
【００６４】
また、姿勢制御板１１０は、係止爪１１２を収納装置８０の底面に設けられた切欠部１１１に挿通するのみで固定できるため、取り外しが容易で組み立て性やメンテナンス性が向上する。さらに、姿勢制御板１１０の回動は、販売動作時、商品８１の送出時により商
品８１が姿勢制御板１１０に当接し押しあげられ、商品８１が搬出通路８２に落下すると姿勢制御板１１０自身の自重により再び、商品８１に押し出される前の位置に戻るため、姿勢制御板１１０の部品点数を減らすことができ製造コストを低減することができる。
【００６５】
また、本実施の形態における第二収納室６３の収納装置８０下方に区画された空間には、収納装置８０内の空気を循環させるファン１００と加熱装置としてのヒータ１０２と冷却装置１０３と温度センサ１０４とを配置し、前記冷却、加温装置を収納した空間に連通するダクト１０１を収納装置８０の背面に配置し、前方の搬出通路８２を循環風路の吐出側として空気が循環するものであり、ヒータ１０２または冷却装置１０３で熱交換された空気はファン１００により下シュート１０６に送出され、搬出通路８２に空気が流通される。搬出通路８２には、すべての収納装置８０が連通しているので、すべての収納装置８０に空気が流通する。
【００６６】
また、収納装置８０内には商品８１がスパイラル部材９５の螺旋空間部９７に挟みこまれているため、商品と商品の間にはスパイラル部材９５が存在し、横方向に商品がお互いが接触しないように充填されるため、商品と商品の間を空気が流通しやすくなる。さらに、収納装置８０に設けられた通気孔９８にも空気が流通するため、より上段の収納装置８０へ早く空気が流通することができる。
【００６７】
そして、最上段に配置された収納装置８０の後方には、ダクト１０１の空気吸込口１０５があるため、すべての収納装置８０に空気が流通した後、最上段の収納装置８０の後方へ空気が流通する。最上段の収納装置８０の後方からダクト１０１の空気吸込口１０５に吸込まれた空気は、ダクト１０１と連通しているファン１００へ吸込まれ、ファン１００の空気吐出口に送出されると再び、空気はヒータ１０２で加熱または冷却装置１０３にて冷却され上記に示したように空気が対流を繰り返す。
【００６８】
以上のように本実施の形態では、冷却、加温装置を収納した空間に連通するダクト１０１を収納装置８０の背面に配置し、前方の搬出通路８２を循環風路の吐出側として空気が循環することにより、下方で加熱または冷却された空気が複数の収納装置全体に循環しやすい構造となり、商品の充填場所に関係なく、商品の温度差が少なく充填した商品すべてが販売可能な温度となる時間が短縮される。また、消費電力量を削減することができる。
【００６９】
また、収納装置８０の前方の搬出通路８２は商品を搬出する通路としての機能だけでなく、空気を循環させるダクトとしての機能も兼ね備えているため新たにダクトを設置する必要がなく、機械を小型化できるとともに製造コストの低減を図ることができる。
【００７０】
また、商品の充填場所による温度差が少ないため加熱または冷却を行う場合の温度制御は、加熱または冷却された空気が最も温度が高くまたは低くなるのは、加熱または冷却された直後であるので、ヒータ１０２または冷却装置１０３により加熱または冷却された空気が送出された場所に温度センサ１０４を設置するのみで温度制御が可能であり、少ない温度センサで温度制御が可能となるため機械を小型化できるとともに製造コストの低減を図ることができる。
【００７１】
また、冷却、加温装置を収納した空間に連通するダクト１０１を収納装置８０の背面に配置し、ダクト１０１の吸込口１０５を収納装置８０の最上段近傍に配置することにより、ファン１００の運転で収納装置８０内の空気はダクト１０１の吸込口１０５から吸い込まれ、前記冷却、加温装置で熱交換され前方の搬出通路８２を循環風路の吐出側として空気が循環することにより、より効率的に下方で加熱または冷却された空気を複数の収納装置全体に循環することができる。
【００７２】
また、収納装置８０の両側部には上下方向の通風孔９８を前後に複数形成しているので、通風孔９８を通してより効率的に下方で加熱または冷却された空気を複数の収納装置全体に循環することができる。
【００７３】
また、第二収納室６３を収納する収納部の外部と仕切る壁面には真空断熱材６６を配置しているので、真空断熱材６６の高断熱性により、より庫内の温度差を小さくでき、また、消費電力量を削減することができる。
【００７４】
また、缶、ビン等を収納する第一収納室６２内の空気を循環させる循環風路と、箱状あるいは袋状の商品８１を収納する第二収納室６３内の空気を循環させる循環風路とはそれぞれ独立して形成しているので、それぞれ独立した循環風路により、それぞれの収納室を所定の温度に独立して制御することができる。
【産業上の利用可能性】
【００７５】
以上のように、本発明にかかる自動販売機は、同一の箱体内に併設し複合商品を収納する収納室を備えたものにおいて、充填作業性、メンテナンス性を向上できるものであり、複合商品を販売可能としたあらゆる自動販売機器の用途にも適用できる。
【符号の説明】
【００７６】
５０  自動販売機本体
５１  外扉
５２  ヒンジ機構
６１  商品取出口
６２  第一収納室
６３  第二収納室
６４  内扉
６７  搬出装置
７９  搬出通路カバー
８２  搬出通路
９５  スパイラル部材
９６  モータ
【図１】
0005467350.tif 000002
【図５】
0005467350.tif 000003
【図６】
0005467350.tif 000004
【図７】
0005467350.tif 000005
【図８】
0005467350.tif 000006
【図９】
0005467350.tif 000007
【図１０】
0005467350.tif 000008
【図１５】
0005467350.tif 000009
【図２】
0005467350.tif 000010
【図３】
0005467350.tif 000011
【図４】
0005467350.tif 000012
【図１１】
0005467350.tif 000013
【図１２】
0005467350.tif 000014
【図１３】
0005467350.tif 000015
【図１４】
0005467350.tif 000016